(57)【要約】【課題】  現場工事を簡略化し且つバルコニー梁側に水が浸入しない。【解決手段】  捨水切り材４付きの格子ユニット６をバルコニー梁１１に立設する。捨水切り材４の他端部の重複部３に隣接する格子ユニット６の端部下面を重複する。捨水切り材４の屋外側副垂下片９の他端部及び屋内側副垂下片１０の他端部に隣接する格子ユニット６の下横枠２の屋外側主垂下片７の他端部と屋内側主垂下片８の他端部とを連続させる。屋外側主垂下片７と屋外側副垂下片９と、下横枠２の下面の屋外側と捨水切り材４の下面の屋外側と、バルコニー梁１１の屋外側に設けられる外装材の上端面とで構成される屋外側凹所１２ａにコーキング材１３を充填する。屋内側主垂下片８と屋内側副垂下片１０と、下横枠２の下面の屋内側と捨水切り材４の下面の屋内側と、バルコニー梁１１の屋内側に設けられる面板の上端面とで構成される屋内側凹所１２ｂにコーキング材１３を充填する。【選択図】        図１
2006037459.tif 000002
【特許請求の範囲】
【請求項１】
格子体の筒状をした下横枠の下面の長手方向の一端部に両端部が重複部となった捨水切り材の一端部の重複部を水密材を介して重複固着して該捨水切り材を下横枠の長手方向の端部よりも突出させて格子ユニットを構成し、上記下横枠の下面の屋外側端部の屋外側最端部よりも内側に引き込んだ位置から下方に屋外側主垂下片を垂設すると共に、格子体の下横枠の下面の屋内側端部の屋内側最端部よりも内側に引き込んだ位置から下方に屋内側主垂下片を垂設し、上記捨水切り材の下面の屋外側端部の屋外側最端部よりも内側に引き込んだ位置から下方に屋外側副垂下片を垂設すると共に、捨水切り材の下面の屋内側端部の屋内側最端部よりも内側に引き込んだ位置から下方に屋内側副垂下片を垂設し、上記屋外側主垂下片の長手方向の端部に上記屋外側副垂下片の一端部を連続させ且つ上記屋内側主垂下片の長手方向の端部に上記屋内側副垂下片の一端部を連続させ、捨水切り材付きの上記格子ユニットをバルコニー梁に立設して固定手段により固定し、格子ユニットから突出する捨水切り材の他端部の重複部に隣接する格子ユニットの捨水切り材を設けていない方の端部下面を水密材を介して重複し、捨水切り材の屋外側副垂下片の他端部及び屋内側副垂下片の他端部に隣接する格子ユニットの下横枠の屋外側主垂下片の長手方向の他端部と屋内側主垂下片の長手方向の他端部とを連続させ、連続する屋外側主垂下片と屋外側副垂下片と、下横枠の下面の屋外側と捨水切り材の下面の屋外側と、バルコニー梁の屋外側に設けられる外装材の上端面とで構成される屋外側凹所にコーキング材を充填すると共に、連続する屋内側主垂下片と屋内側副垂下片と、下横枠の下面の屋内側と捨水切り材の下面の屋内側と、バルコニー梁の屋内側に設けられる面板の上端面とで構成される屋内側凹所にコーキング材を充填して成ることを特徴とするバルコニーの格子ユニットの取付け構造。
【請求項２】
捨水切り材の下面の屋外側副垂下片、屋内側副垂下片の各両端部にそれぞれ重複用垂下片を設けて、重複用垂下片を下横枠の下面に設けた屋外側主垂下片の長手方向の端部の屋内側の面、屋内側主垂下片の長手方向の端部の屋外側の面にそれぞれ水密材を介して重複して成ることを特徴とする請求項１記載のバルコニーの格子ユニットの取付け構造。
【請求項３】
捨水切り材の中央部の上面から上方に向けて突出し且つ上下両端が開口した支柱挿通用筒状部を形成し、梁の上面に突設した支柱を上記支柱挿通用筒状部に挿通し、支柱を介して両側に位置する各格子体の縦枠間の屋外側及び屋内側にそれぞれ屋外側柱カバーと屋内側柱カバーを配設して両側の縦枠及び屋外側柱カバー、屋内側柱カバーにより支柱及び支柱挿通用筒状部を覆って成ることを特徴とする請求項１又は請求項２記載のバルコニーの格子ユニットの取付け構造。
【発明の詳細な説明】
【技術分野】
【０００１】
本発明は、バルコニーの格子ユニットの取付け構造に関するものである。
【背景技術】
【０００２】
従来からバルコニーには袖壁が形成してあるが、バルコニーの外観を向上させるために袖壁の一部又は全部を格子にすることが知られている。袖壁の一部を格子にするものとしては例えば、特許文献１がある。
【０００３】
上記の特許文献１に示される従来例は、バルコニー梁１１の上に現場で袖壁５２を立設形成するに当たって、図７に示すように、バルコニー梁１１の上面の長手方向の一部に袖壁５２を立設しない部分を設け、このバルコニー梁１１の袖壁５２を立設しない部分の上面に現場で捨水切りとなる下笠木５０を被せてバルコニー梁１１の袖壁５２を立設しない部分の上面における水仕舞いを行う工事をし、その後、袖壁５２間に格子５１を嵌め込み、袖壁５２の側端部と格子５１の側端部との間にシール材を充填する工事を行っていた。
【０００４】
また、バルコニー梁１１の袖壁５２を立設しない部分の上面に支柱が立設してあるような場合には、下笠木５０に孔を設けると共に孔の周囲から筒状部を突設し、上記下笠木５０を現場でバルコニー梁１１の上面部を覆う施工を行う際に下笠木５０に設けた筒状部に支柱を通すと共に現場で筒状部と支柱の外面との間にシール材を充填するという防水工事を行っていた。
【０００５】
このように、従来例にあっては、格子５１を取付ける施工をする前にバルコニー梁１１の袖壁５２を立設しない部分の上面に下笠木５０を被せてバルコニー梁１１側に水が浸入しないように現場における種々の防水工事を行う必要があり、現場における作業が煩雑で、施工に時間がかかるという問題があった。
【特許文献１】特開２００３−３５６４号公報
【発明の開示】
【発明が解決しようとする課題】
【０００６】
本発明は上記の従来の問題点に鑑みて発明したものであって、バルコニー梁の一部又は全部に格子ユニットを取付けるに当たって、格子体の下横枠の長手方向の一端部にのみ捨水切り材をあらかじめ取付けておくことで、簡単な構成で現場工事を簡略化し且つバルコニー梁側に水が浸入しないようにできるバルコニーの格子ユニット取付け構造を提供することを課題とするものである。
【課題を解決するための手段】
【０００７】
上記課題を解決するために本発明に係るバルコニーの格子ユニット取付け構造は、格子体１の筒状をした下横枠２の下面の長手方向の一端部に両端部が重複部３となった捨水切り材４の一端部の重複部３を水密材５を介して重複固着して該捨水切り材４を下横枠２の長手方向の端部よりも突出させて格子ユニット６を構成し、上記下横枠２の下面の屋外側端部の屋外側最端部よりも内側に引き込んだ位置から下方に屋外側主垂下片７を垂設すると共に、格子体１の下横枠２の下面の屋内側端部の屋内側最端部よりも内側に引き込んだ位置から下方に屋内側主垂下片８を垂設し、上記捨水切り材４の下面の屋外側端部の屋外側最端部よりも内側に引き込んだ位置から下方に屋外側副垂下片９を垂設すると共に、捨水切り材４の下面の屋内側端部の屋内側最端部よりも内側に引き込んだ位置から下方に屋内側副垂下片１０を垂設し、上記屋外側主垂下片７の長手方向の端部に上記屋外側副垂下片９の一端部を連続させ且つ上記屋内側主垂下片８の長手方向の端部に上記屋内側副垂下片１０の一端部を連続させ、捨水切り材４付きの上記格子ユニット６をバルコニー梁１１に立設して固定手段により固定し、格子ユニット６から突出する捨水切り材４の他端部の重複部３に隣接する格子ユニット６の捨水切り材４を設けていない方の端部下面を水密材５を介して重複し、捨水切り材４の屋外側副垂下片９の他端部及び屋内側副垂下片１０の他端部に隣接する格子ユニット６の下横枠２の屋外側主垂下片７の長手方向の他端部と屋内側主垂下片８の長手方向の他端部とを連続させ、連続する屋外側主垂下片７と屋外側副垂下片９と、下横枠２の下面の屋外側と捨水切り材４の下面の屋外側と、バルコニー梁１１の屋外側に設けられる外装材２０の上端面とで構成される屋外側凹所１２ａにコーキング材１３を充填すると共に、連続する屋内側主垂下片８と屋内側副垂下片１０と、下横枠２の下面の屋内側と捨水切り材４の下面の屋内側と、バルコニー梁１１の屋内側に設けられる面板２１の上端面とで構成される屋内側凹所１２ｂにコーキング材１３を充填して成ることを特徴とするものである。
【０００８】
このような構成とすることで、格子体１の下横枠２の長手方向の端部に沿ってバルコニー梁１１の上面側に水が浸入しようとしても下横枠２の下面の長手方向の一端部に両端部が重複部３となった捨水切り材４の一端部の重複部３を水密材５を介して重複固着し、格子ユニット６から突出する捨水切り材４の他端部の重複部３を隣接する格子ユニット６の捨水切り材４を設けていない方の端部下面に水密材５を介して重複することで、バルコニー梁１１の上面側への水の浸入が防止できるものであり、しかも、連続する屋外側主垂下片７と屋外側副垂下片９と、下横枠２の下面の屋外側と捨水切り材４の下面の屋外側と、バルコニー梁１１の屋外側に設けられる外装材２０の上端面とで構成される屋外側凹所１２ａにコーキング材１３を充填すると共に、連続する屋内側主垂下片８と屋内側副垂下片１０と、下横枠２の下面の屋内側と捨水切り材４の下面の屋内側と、バルコニー梁１１の屋内側に設けられる面板２１の上端面とで構成される屋内側凹所１２ｂにコーキング材１３を充填することで、屋内側及び屋外側のいずれからもバルコニー梁１１の上面側への水の浸入を防止できるものであり、更に、下横枠２の下面の長手方向の一端部に捨水切り材４の一端部の重複部３を重複固着した水密材５付き格子ユニット６をバルコニー梁１１に立設して固定手段により固定するだけで施工できるので、格子ユニット６の取付け前に、従来のように別体の長尺の捨水切り材をバルコニー梁の上面に長手方向にわたって被せる作業を行う必要がなく、施工が簡略化できるものであり、また、捨水切り材４も下横枠２の長手方向の一端部にのみ取付けるだけでよいので、捨水切り材を全長にわたって設けるものに比べて材料費の節減となる。
【０００９】
また、捨水切り材４の下面の屋外側副垂下片９、屋内側副垂下片１０の各両端部にそれぞれ重複用垂下片１４を設けて、重複用垂下片１４を下横枠２の下面に設けた屋外側主垂下片７の長手方向の端部の屋内側面、屋内側主垂下片８の長手方向の端部の屋外側面にそれぞれ水密材５を介して重複することが好ましい。
【００１０】
このような構成とすることで、重複用垂下片１４を下横枠２の下面に設けた屋外側主垂下片７、屋内側主垂下片８の長手方向の端部にそれぞれ水密材５を介して重複することで、屋外側主垂下片７の端部と屋外側副垂下片９の端部との連続部分及び、屋内側主垂下片８と屋内側副垂下片１０との連続部分から内部に水が入らないようにできるものである。
【００１１】
また、捨水切り材４の中央部の上面から上方に向けて突出し且つ上下両端が開口した支柱挿通用筒状部１５を形成し、バルコニー梁１１の上面に突設した支柱１６を上記支柱挿通用筒状部１５に挿通し、支柱１６を介して両側に位置する各格子体１の縦枠１７間の屋外側及び屋内側にそれぞれ屋外側柱カバー１８と屋内側柱カバー１９を配設して両側の縦枠１７及び屋外側柱カバー１８、屋内側柱カバー１９により支柱１６及び支柱挿通用筒状部１５を覆うことが好ましい。
【００１２】
このような構成とすることで、隣接する格子ユニット６間に支柱１６を収め、屋外側柱カバー１８、屋内側柱カバー１９により支柱１６を隠すことができるだけでなく、屋外側柱カバー１８、屋内側柱カバー１９の両端部と縦枠１７との取付け部分から水が入って捨水切り材４の上面に水が流れたり、あるいは、下横枠２の長手方向の端部に沿って捨水切り材４の上面に水が流れたりしても、支柱挿通用筒状部１５によりバルコニー梁１１側に水が浸入しないようにできるものである。
【発明の効果】
【００１３】
本発明は、上記のように、捨水切り材を下横枠の長手方向の一端部にのみ取付けるという簡単な構成でバルコニー梁の上面側への水の浸入が防止でき、しかも、連続する屋外側主垂下片と屋外側副垂下片と、下横枠の下面の屋外側と捨水切り材の下面の屋外側と、バルコニー梁の屋外側に設けられる外装材の上端面とで構成される屋外側凹所にコーキング材を充填すると共に、連続する屋内側主垂下片と屋内側副垂下片と、下横枠の下面の屋内側と捨水切り材の下面の屋内側と、バルコニー梁の屋内側に設けられる面板の上端面とで構成される屋内側凹所にコーキング材を充填することで、屋内側及び屋外側のいずれからもバルコニー梁の上面側への水の浸入を防止できるものであり、更に、下横枠の下面の長手方向の一端部に捨水切り材の一端部の重複部を重複固着した水密材付き格子ユニットをバルコニー梁に立設して固定手段により固定するだけで施工できるので、格子ユニットの取付け前に、従来のように別体の長尺の捨水切り材をバルコニー梁の上面に長手方向にわたって被せる作業を行う必要がなく、施工が簡略化できるものであり、また、捨水切り材も下横枠の長手方向の一端部にのみ取付けるだけでよいので、捨水切り材を全長にわたって設けるものに比べて材料費の節減となるという利点がある。
【発明を実施するための最良の形態】
【００１４】
以下、本発明を添付図面に示す実施形態に基いて説明する。
【００１５】
バルコニーは建物本体から屋外側に突設して形成されるものと、建物本体の上部に形成される屋根上バルコニー（下部は居室となる）と称されるものとがあるが、本発明においてはいずれであってもよく、これらのバルコニーは大略以下の構成となっている。すなわち、側梁、側梁間に架設された前梁、継ぎ材等を枠組みしてバルコニーの床用骨組み構造物を構成し、このバルコニーの床用骨組み構造物の外周の梁である上記側梁と前梁（この側梁、前梁がバルコニー梁１１を構成している）上に長手方向の一部又は全長にわたって格子ユニット６を形成すると共にバルコニーの床用骨組み構造物上にバルコニー床を形成することでバルコニーが構成してある。
【００１６】
ここで、本発明においては、上記側梁、前梁よりなるバルコニー梁１１上に後述する格子ユニット６を配設して立設するようになっているが、この場合、バルコニー梁１１の上面の全長（すなわち上記バルコニー梁１１を構成する側梁と前梁の上面の全長）に平面視直線状をした格子ユニット６を配置して立設したり、あるいは、バルコニー梁１１を構成する側梁や前梁の上面の一部に袖壁を立設すると共に他の部分を袖壁を立設しない部分とし、このバルコニー梁１１の上面の袖壁を立設しない部分に平面視直線状をした格子ユニット６を配置して立設する。
【００１７】
格子ユニット６は格子体１の下横枠２の下面の長手方向の一端部に捨水切り材４を取付け、更に下横枠２の下面の長手方向の両端部を除く部分（つまり捨水切り材４を取付けていない部分）には複数個の固定金具２２を取付けて構成してある。格子体１は例えば上横枠２３、左右の縦枠１７、下横枠２を矩形状に枠組した枠体に格子材２４を装着して構成したものであり、該枠体には必要に応じて縦又は横の中枠を設けてもよい。
【００１８】
下横枠２は図１乃至図５に示すように横向きの筒状をしており、筒状部分に縦仕切り２５を設けて下横枠２の主体を構成する主体筒部２６よりも屋外側端部に全長にわたって屋外側筒部２７を一体に形成してある。下横枠２の主体筒部２６の下面は屋外側端部下面と屋内側端部下面を除いて屋外側に行く程下となるように傾斜した傾斜面となっており、主体筒部２６の下面のうち屋外側下面と屋内側端部下面は水平面となっており、更に、屋外側筒部２７の下面は主体筒部２６の屋外側下面と同じレベルの水平面となっている。
【００１９】
下横枠２の下面の上記水平面となった屋外側端部の屋外側最端部よりも内側に引き込んだ位置から下方に屋外側主垂下片７を垂設すると共に、格子体１の下横枠２の下面の上記水平面となった屋内側端部の屋内側最端部よりも内側に引き込んだ位置から下方に屋内側主垂下片８を垂設してある。上記屋外側主垂下片７及び屋内側主垂下片８はいずれも長手方向の両端部を切欠して切欠部４０が形成してあって、これにより屋外側主垂下片７及び屋内側主垂下片８はいずれも長手方向の両端部が下横枠２の長手方向の両端部よりも長手方向において内側に引き込んでいる。
【００２０】
左右の縦枠１７は図４乃至図６に示すように、角筒状をした角筒部１７ａの一側面の屋外側端部及び屋内側端部からそれぞれ柱カバー取付け部１７ｂが角筒部１７ａから離れる方向に突設してあり、更に、角筒部１７ａの一側面の上記屋外側端部の柱カバー取付け部１７ｂよりもやや屋内側及び上記屋内側端部の柱カバー取付け部１７ｂよりもやや屋外側にずれた位置からそれぞれ柱カバー取付け部１７ｂよりも突出長さの長い水密材受け片１７ｃが突設してある。
【００２１】
図５、図６に示すように、左右の縦枠１７の角筒部１７ａの他端面の下端部に下横枠２の主体筒部２６の側端部をシール材４１を介して突き当てた状態でねじ具２８により固着してある。ここで、縦枠１７の下端は下横枠２の傾斜面の下端と同じレベルとなっており、下横枠２の屋外側筒部２７が縦枠１７よりも屋外側に突出している。
【００２２】
下横枠２の下面の長手方向の一端部には捨水切り材４の一端部が水密材５を介して重複してねじ具２８により固着してあって、該捨水切り材４を下横枠２の長手方向の端部、縦枠１７よりも突出させてある。
【００２３】
捨水切り材４は図５に示すように、中央部が中央凹部２９となっており、該中央凹部２９の両側端及び屋内側最端部にわたって平面視コ字状に立上がり片３０が上方に向けて突設してある。ここで、中央凹部２９の底面部２９ａは水平面となっており、中央凹部２９の両側の立ち上がり片３０は屋内外方向の中間部分が屋内側に行く程高くなるように突出した上端縁が傾斜した三角形状をした中間立ち上がり片３０ａとなっており、更に、中央凹部２９の両側の立ち上がり片３０の屋外側端部は中間立ち上がり片３０ａの最も低い部分と同じレベルの上方への突出長さの短い低立ち上がり片３０ｂとなっており、更に、中央凹部２９の両側の屋外側端部及び屋外側端辺の立ち上がり片３０は中間立ち上がり片３０ａの最も高い部分と同じレベルの立ち上がり片３０ｃとなっている。上記三角形状をした中間立ち上がり片３０ａの上端縁の傾斜は前述の下横枠２の主体筒部２６の下面の傾斜面と同じ傾斜となっている。また、中央凹部２９の底面部２９ａの後端部は中央凹部２９の底面部２９ａよりもレベルが高い上段面２９ｂとなっており、この上段面２９ｂの屋外側端部と底面部２９ａの屋内側端部とが垂直壁３１で連設してある。
【００２４】
捨水切り材４の左右両側（平面視で屋内外方向と直交する方向の両側）、つまり中央凹部２９の両側にはそれぞれ重複部３が設けてある。重複部３は上記三角形状をした中間立ち上がり片３０ａの上端縁よりやや下方に下がった位置が傾斜した上面となるように上記三角形状をした中間立ち上がり片３０ａの上端縁の傾斜と同じ傾斜の傾斜面部３ａと、該傾斜面部３ａの上端縁から屋内側に水平に突設した屋内側水平面部３ｂと、該傾斜面部３ａの下端縁から屋外側に水平に突設した屋外側水平面部３ｃとで構成してある。屋内側水平面部３ｂの屋外側端部は捨水切り材４の屋内側最端部よりも少し屋外側に引き込んでいる。また、屋外側水平面部３ｃは屋外側端縁と左右方向の外端縁とのなす角部を切欠して切欠部３ｄとしてあり、切欠部３ｄの左右方向の縁部と、屋内側水平面部３ｂの左右方向の屋内側縁部の先端部からそれぞれ下方に向けて重複用垂下片１４が設けてある。
【００２５】
捨水切り材４の下面の屋外側端部の屋外側最端部よりも内側に引き込んだ位置から下方に屋外側副垂下片９を垂設すると共に、捨水切り材４の下面の屋内側端部の屋内側最端部よりも内側に引き込んだ位置から下方に屋内側副垂下片１０を垂設してある。屋外側副垂下片９、屋内側副垂下片１０とも、長手方向（左右方向）の両端部を除く全長にわたって形成してあり、屋外側副垂下片９、屋内側副垂下片１０ｎｏ長手方向（左右方向）の両端部は上記捨水切り材４の長手方向（左右方向）の両端部に設けた重複用垂下片１４に段部３３を介して連続一体化してある。本実施形態では屋内側副垂下片１０の左右方向の両端部を除く部分は中央凹部２９の底面部２９ａの垂直壁３１が兼用している。また、屋外側端部に設けた重複用垂下片１４は屋外側副垂下片９よりも段部３３の寸法分だけ屋内側にずれて位置し、屋内側端部に設けた重複用垂下片１４は屋内側副垂下片１０よりも段部３３の寸法分だけ屋外側にずれて位置している。
【００２６】
捨水切り材４の左右両側の重複部３及び重複用垂下片１４の外面には図５に示すように水密材５が貼付けてある。
【００２７】
中央凹部２９の底面部２９ａには孔が設けてあり、この孔の縁から上方に向けて支柱挿通用筒状部１５が突設してあり、この支柱挿通用筒状部１５は上下両端が開口している。
【００２８】
上記の構成の捨水切り材４を前述の格子体１の下横枠２の下面の長手方向の一端部にねじ具２８により固着して取付けるのであるが、この固着状態において、下横枠２の屋外側主垂下片７の長手方向の一端部と捨水切り材４の屋外側副垂下片９の長手方向の他端部が当接することで面一に連続すると共に、屋内側主垂下片８の長手方向の一端部と捨水切り材４の屋内側副垂下片１０の長手方向の他端部が当接することで面一に連続するように取付ける。また、この固着状態において、下横枠２の主体筒部２６の下面の傾斜面が重複部３の傾斜面部３ａに水密材５を介して重複し、主体筒部２６の水平な屋内側端部下面が重複部３の屋内側水平面部３ｂに水密材５を介して重複し、主体筒部２６の水平な屋外側端部下面とこれに連続する屋外側筒部２７の水平な下面が重複部３の屋外側水平面部３ｃに重複し、更に、屋外側主垂下片７の長手方向の一端部の屋内側の面及び屋内側主垂下片８の一端部の屋外側の面が、それぞれ重複部３の屋外側及び屋内側にそれぞれ設けた重複用垂下片１４に水密材５を介して屋内外方向に重複し、これにより、下横枠２と捨水切り材４の重複部分から水が浸入しないようになっている。
【００２９】
上記のように下横枠２の下面に捨水切り材４の一端部の重複部３を取付けた状態で、縦枠１７の下端部が中央凹部２９の底面部２９ａの左右方向の一方の片側半部上に位置し、中央凹部２９の他の片側半部及び他方の重複部３が格子体１よりも下横枠２の長手方向の延長線方向に向けて突出している。
【００３０】
下横枠２の下面に取付けられる固定金具２２は上部の屋外側及び屋内側に突片２２ａを突設し、突片２２ａの上端に水平な取付け片２２ｂを設け、該水平な取付け片２２ｂをそれぞれ下横枠２の主体筒部２６の下面の水平な屋外側端部下面及び屋内側端部下面に固着具により固着してある。また、固定金具２２の下面は水平な固定片２２ｃとなっている。
【００３１】
上記のような構成の格子ユニット６はバルコニー梁１１の上面に固定金具２２の固定片２２ｃを載置してボルト４２により固着することでバルコニー梁１１の上面に立設するものである。この場合、バルコニー梁１１の上面に立設する支柱１６を捨水切り材４の支柱挿通用筒状部１５に挿通し、屋外側及び屋内側の水密材受け片１７ｃにより支柱１６の左右方向の片側半部の屋外側及び屋内側を覆う。
【００３２】
次に、上記のようにしてバルコニー梁１１の上面に立設した格子ユニット６から突出する捨水切り材４の他端部の重複部３に隣接する格子ユニット６の捨水切り材４を設けていない方の端部下面を水密材５を介して重複すると共に隣接する格子ユニット６の下面部に取付けている固定金具２２をバルコニー梁１１の上面に固定金具２２の固定片２２ｃを載置してボルト４２により固着することでバルコニー梁１１の上面に立設する。この場合、隣接する格子ユニット６の縦枠１７の屋外側及び屋内側の水密材受け片１７ｃにより上記支柱１６の左右方向の他の片側半部の屋外側及び屋内側を覆う。また、隣接する格子ユニット６の下横枠２の屋外側主垂下片７の長手方向の他端部が、先にバルコニー梁１１に固着した方の格子ユニット６に設けている捨水切り材４の屋外側副垂下片９の長手方向の一端部に当接して面一に連続すると共に、屋内側主垂下片８の長手方向の他端部が捨水切り材４の屋内側副垂下片１０の長手方向の一端部に当接して面一に連続する。
【００３３】
バルコニーには図１乃至図５に示すように、バルコニー梁１１を挟んで屋外側に外装材２０を配設して取付けると共に屋内側に面板２１を配設して取付ける。これら、外装材２０、面板２１は現場作業により取付けられるものであり、下横枠２及び捨水切り材４の各屋外側端部よりも外装材２の外面は屋内側にずれ、また、下横枠２及び捨水切り材４の各屋内側端部よりも面板２１の外面は屋外側にずれており、バルコニー梁１１とその屋外側屋内側に配設される外装材２、面板２１の各上面は下横枠２及び捨水切り材４によって長手方向及び屋内外方向において覆われている。
【００３４】
ここで、外装材２０の上端面は下横枠２の屋外側主垂下片７、捨水切り材４の屋外側副垂下片９の下端と同じレベルとなるように設定してある。そして、連続する屋外側主垂下片７と屋外側副垂下片９と、下横枠２の下面の屋外側と捨水切り材４の下面の屋外側と、バルコニー梁１１の屋外側に設けられる外装材２０の上端面とによって屋外側に開口する屋外側凹所１２ａが形成されるものであり、この屋外側凹所１２ａにコーキング材１３を充填する。
【００３５】
また、面板２１の上端面は下横枠２の屋内側主垂下片８、捨水切り材４の屋内側副垂下片１０の下端と同じレベルとなるように設定してある。そして、連続する屋内側主垂下片８と屋内側副垂下片１０と、下横枠２の下面の屋内側と捨水切り材４の下面の屋内側と、バルコニー梁１１の屋内側に設けられる面板２１の上端面とによって屋内側に開口する屋内側凹所１２ｂが形成されるものであり、この屋内側凹所１２ｂにコーキング材１３を充填する。
【００３６】
コーキング材１３の充填に当たっては、屋外側凹所１２ａの溝奥面である屋外側主垂下片７と屋外側副垂下片９とが面一に連続し、また、屋内側凹所１２ｂの溝奥面である屋内側主垂下片８と屋内側副垂下片１０とが面一に連続しているので、コーキング材１３を充填した際にコーキング材１３の外面が捨水切り材４部分で部分的に凹んだり、あるいは凸となったりすることなく、綺麗に充填されることになる。
【００３７】
このように、下横枠２の下面の長手方向の一端部に捨水切り材４を取付けた格子ユニット６をバルコニー梁１１の上面に取付けることで、バルコニー梁１１の上面を覆い、しかも、下横枠２、捨水切り材４の下面の屋外側端部、屋内側端部と、バルコニー梁１１の屋内外に配設される外装材２０の上端面と、面板２１の上端面との間の水仕舞いをするので、バルコニー梁１１の上面、屋外側、屋内側が覆われてバルコニー梁１１側に水が入ることがないようになっている。
【００３８】
格子体１の上横枠２３は図１に示すように断面略Ｕ字状をしていてこの上横枠２３内に横架材３４を配置し、該横架材３４はバルコニー梁１１の上面に立設される支柱１６の上端部に固着すると共に横架材３４は上横枠２３にも固着してある。横架材３４の上面には手摺り固定金具３５を取付け、手摺り固定金具３５に手摺り３６を取付けた笠木３７を取付けるようになっており、笠木３７により格子体１及び横架材３４の上端面を覆うようになっている。
【００３９】
前述のように左右に隣接する格子ユニット６の縦枠１７の屋外側及び屋内側の水密材受け片１７ｃによりそれぞれ支柱１６の左右方向の他の片側半部の屋外側及び屋内側を覆ってあるので、屋外側において隣合う水密材受け片１７ｃの屋外側面にわたるように水密材３８を介して屋外側柱カバー１８を押し当てると共に屋外側柱カバー１８の両側を水密材３８を介して隣接する屋外側端部の柱カバー取付け部１７ｂに押し当てて固着具により固着し、また、屋内側において隣合う水密材受け片１７ｃの屋内側面にわたるように水密材３８を介して屋内側柱カバー１９を押し当てると共に屋内側柱カバー１９の両側を水密材を介して隣接する屋内側端部の柱カバー取付け部１７ｂに押し当てて固着具により固着する。これにより支柱１６が笠木３７、縦枠１７、屋外側柱カバー１８、屋内側柱カバー１９により覆われて、支柱１６側に雨水が入らないようになっている。更に、図６に示すように、屋外側柱カバー１８の屋外側面に水平断面略Ｈ字状をした横格子見切り材３９を取付け、横格子見切り材３９内に格子材２４の横格子材の長手方向の端部を入れて横格子材の端部が外部に露出しないようにしている。
【００４０】
しかして、本発明においては上記のように、下横枠２の上面に流れた雨水は下横枠２の屋外側端部又は屋内側端部から屋外側又は屋内側に流れ、この場合、上記のように、屋外側凹所１２ａ、屋内側凹所１２ｂにコーキング材１３が充填してあるので、バルコニー梁１１側に水が浸入することがない。また、仮にコーキング材１３部分から雨水が浸入しても、重複用垂下片１４を下横枠２の下面に設けた屋外側主垂下片７、屋内側主垂下片８の長手方向の端部にそれぞれ水密材５を介して重複することで、屋外側主垂下片７の端部と屋外側副垂下片９の端部との連続部分及び、屋内側主垂下片８と屋内側副垂下片１０との連続部分から内部に水が入らないようになっている。
【００４１】
また、下横枠２の主体筒部２６の長手方向の端部と縦枠１７の角筒部１７ａの他端面との突き当て固着部分においては図６に示すようにシール材４１を介在して固着してあることで、シール材４１により雨水の内部への浸入が防止されるが、仮に、このシール材４１部分から雨水が浸入したとしても、下横枠２の長手方向の端部下面と捨水切り材４の重複部３とが水密材５を介して重複しているので、下横枠２の下面側に雨水が浸入してバルコニー梁１１側に雨水が浸入することがなく、そのまま、捨水切り材４の中央凹部２９に流下して中央凹部２９の屋外側開口から屋外側に排出される。更に、支柱１６が笠木３７、縦枠１７、屋外側柱カバー１８、屋内側柱カバー１９により覆われて、支柱１６側に雨水が入らない。しかも、万一、屋外側柱カバー１８と屋外側端部の柱カバー取付け部１７ｂとの取付け部分や、屋内側柱カバー１９と屋内側端部の柱カバー取付け部１７ｂとの取付け部分から内部に雨水が入り込んだり、更に、屋外側柱カバー１８、屋内側柱カバー１９と水密材受け片１７ｃとの間から内部に雨水が入り込んでも、下方に流れて、捨水切り材４の中央凹部２９に流下して中央凹部２９の屋外側開口から屋外側に排出される。この場合、中央凹部２９の底面部２９ａから上方に向けて突出した支柱挿通用筒状部１５に支柱１６が挿通してあるので、中央凹部２９の底面部２９ａに流れ落ちた雨水が支柱１６側に流れるのが支柱挿通用筒状部１５により阻止されるのでバルコニー梁１１側に雨水が浸入することがない。
【００４２】
また、縦枠１７の角筒部１７ａの上端から仮に雨水が浸入したとしても、角筒部１７ａの下端開口から中央凹部２９に流れて中央凹部２９の屋外側開口から屋外側に排出される。
【００４３】
また、下横枠２の屋外側筒部２７の長手方向の両端部は開口しているが、ここから雨水が入っても、再び屋外側筒部２７の長手方向の端部開口から中央凹部２９の底面部２９ａに流下して中央凹部２９の屋外側開口から屋外側に排出される。
【図面の簡単な説明】
【００４４】
【図１】本発明の捨水切り付きの格子ユニットをバルコニー梁の上面に立設して取り付けた状態の断面図である。
【図２】同上の捨水切り材部分の拡大断面図である。
【図３】同上の固定金具部分の拡大断面図である。
【図４】同上の捨水切り付きの格子ユニットをバルコニー梁の上面に立設して取り付けた状態の要部斜視図である。
【図５】同上の分解斜視図である。
【図６】同上の平断面図である。
【図７】従来例を示す分解斜視図である。
【符号の説明】
【００４５】
１  格子体
２  下横枠
３  重複部
４  捨水切り材
５  水密材
６  格子ユニット
７  屋外側主垂下片
８  屋内側主垂下片
９  屋外側副垂下片
１０  屋内側副垂下片
１１  バルコニー梁
１２ａ  屋外側凹所
１２ｂ  屋内側凹所
１３  コーキング材
１４  重複用垂下片
１５  支柱挿通用筒状部
１６  支柱
１７  縦枠
１８  屋外側柱カバー
１９  屋内側柱カバー
２０  外装材
２１  面板
【図１】
2006037459.tif 000003
【図２】
2006037459.tif 000004
【図３】
2006037459.tif 000005
【図４】
2006037459.tif 000006
【図５】
2006037459.tif 000007
【図６】
2006037459.tif 000008
【図７】
2006037459.tif 000009